(57)【要約】      （修正有）【課題】底壁が環状の接地壁である座屈変形を防止した合成樹脂製の薄肉容器において、接地壁の環状凹部に溜まった内容液を吸引できる容器を提供する。【解決手段】内容液の充填口を封止してなる封止部１３を有し封止部を側壁１１の内側に押し込むことで、側壁に繋がる底壁１２の内側に、環状の接地壁1１２ａを形作る環状凹部n1と、封止部を下端として環状凹部n1に取り囲まれる中央凹部n2とが形作られた合成樹脂製の薄肉容器１０と、薄肉容器の口部内側に挿入される吸引パイプ２３を有するディスペンサ２０とを備え、吸引パイプは中央凹部の開口部A2を通って垂下する柱状壁２３ｂを有し柱状壁の下端２３ｅ２が中央凹部に接触して薄肉容器を支持する柱状パイプ部２３ａと、柱状パイプ部に通じる吸引口A4を有し吸引口が環状凹部に配置される屈曲パイプ部２３ｄとを備え、屈曲パイプ部の吸引口A4が柱状壁の下端よりも下方になる。【選択図】図１
2011111181.tif 000002
【特許請求の範囲】
【請求項１】
内容液の充填口を封止してなる封止部を有し当該封止部を側壁の内側に押し込むことで、当該側壁に繋がる、環状の接地壁を形作る環状凹部と、封止部を下端として環状凹部に取り囲まれる中央凹部とが形作られた合成樹脂製の薄肉容器と、この薄肉容器の口部内側を通して挿入される吸引パイプを有し当該口部に装着されるディスペンサとを備え、
吸引パイプは、中央凹部の開口部を通って垂下する柱状壁を有し当該柱状壁の下端が中央凹部に接触することでディスペンサから垂下する薄肉容器を支持する柱状パイプ部と、この柱状パイプ部に通じる吸引口を有し当該吸引口が環状凹部に配置される屈曲パイプ部とを備え、
当該屈曲パイプ部は、その吸引口が柱状壁の下端よりも下方になるように構成されていることを特徴とするディスペンサ付き合成樹脂製薄肉容器。
【請求項２】
請求項１において、柱状パイプ部と屈曲パイプ部とを別体に設けたことを特徴とするディスペンサ付き合成樹脂製薄肉容器。
【請求項３】
請求項１において、柱状パイプ部と屈曲パイプ部とを一体に設けたことを特徴とするディスペンサ付き合成樹脂製薄肉容器。
【発明の詳細な説明】
【技術分野】
【０００１】
本発明は、ディスペンサを装着することで薄肉容器に生じる座屈を防止するためのディスペンサ付き合成樹脂製薄肉容器に関するものである。
【背景技術】
【０００２】
省資源化や効率的な回収を目的として薄肉化された合成樹脂製の容器は、ポンプ等のディスペンサを装着すると、内容物の減少に伴って座屈変形を起こすことがある。
【０００３】
これに対し、従来のディスペンサ付き薄肉容器には、シリンダに連結されたパイプを取り囲む複数の割り形片が形成された保護体を設け、この保護体でディスペンサを介して薄肉容器を支持することで、当該薄肉容器の座屈変形を防止するものや、パイプの先端に底壁の裏側に着座するアーチ状の支持体を設け、この支持体でディスペンサを介して薄肉容器を支持することで、当該薄肉容器の座屈変形を防止するものがある（例えば、特許文献１参照）。
【先行技術文献】
【特許文献】
【０００４】
【特許文献１】特開２００４−１４９１９９号公報
【発明の概要】
【発明が解決しようとする課題】
【０００５】
しかしながら、上述した従来のディスペンサ付き薄肉容器は、いずれもパイプの先端に装着された保護体又は支持体に吸引口が形成されているため、保護体にパイプを取り囲む複数の割り形片を設け、或いは、支持体をアーチ状にする等として、吸引口と底壁との間に、吸引口の下側に内容物を導入するための空間を設ける必要がある。
【０００６】
このため、底壁の一部を環状にして接地壁とすることで、当該接地壁の内側に環状凹部が形作られる場合、この環状凹部に溜まった内容物を吸引することができない。即ち、上述した従来のディスペンサ付き薄肉容器は、接地壁が環状としてなることで、底壁の内側に、環状凹部が形作られる薄肉容器の場合には、容器の座屈変形を防止しつつ環状凹部に溜まった内容物を吸引することができない。
【０００７】
本発明の解決すべき課題は、合成樹脂製の薄肉容器の底壁が環状の接地壁としてなることで、底壁の内側に環状凹部が形作られるとき、当該薄肉容器の座屈変形を防止しつつ環状凹部に溜まった内容液を吸引できないことにある。
【課題を解決するための手段】
【０００８】
本発明である、ディスペンサ付き合成樹脂製薄肉容器は、内容液の充填口を封止してなる封止部を有し当該封止部を胴部の内側に押し込むことで、当該胴部に繋がる環状の接地壁を形作る環状凹部と、封止部を下端として環状凹部に取り囲まれる中央凹部とが形作られた合成樹脂製の薄肉容器と、この薄肉容器の口部内側を通して挿入される吸引パイプを有し当該口部に装着されるディスペンサとを備え、
吸引パイプは、中央凹部の開口部を通って垂下する柱状壁を有し当該柱状壁の下端が中央凹部に接触することでディスペンサから垂下する薄肉容器を支持する柱状パイプ部と、この柱状パイプ部に通じる吸引口を有し当該吸引口が環状凹部に配置される屈曲パイプ部とを備え、
当該屈曲パイプ部は、その吸引口が柱状壁の下端よりも下方になるように構成されていることを特徴とするものである。
【０００９】
柱状パイプ部と屈曲パイプ部とは、別体に設けることができる。また、柱状パイプ部と屈曲パイプ部とは、一体に設けることもできる。
【００１０】
屈曲パイプ部は、その吸引口が柱状壁の下端よりも下方に存在するように構成されている。
【発明の効果】
【００１１】
本発明によれば、封止部を胴部の内側に押し込むことで、底壁の内側に、環状凹部が形作られると共に、この環状凹部に取り囲まれる中央凹部が形作られるので、この中央凹部で柱状パイプ部を支持することができる。これにより、柱状パイプ部でディスペンサを介して薄肉容器を支持することで、当該薄肉容器の座屈変形を防止することができる。
【００１２】
また、本発明によれば、柱状パイプ部に通じる吸引口を有し当該吸引口が環状凹部に配置される屈曲パイプ部を備えることで、中央凹部を取り囲む環状凹部に溜まった内容液を吸引することができる。
【００１３】
加えて、本発明によれば、屈曲パイプ部の吸引口を、柱状壁の下端よりも下方になるように構成することで、環状凹部に溜まった内容液を効率的に吸引することができる。
【００１４】
従って、本発明によれば、薄肉容器の底壁が環状の接地壁としてなることで、底壁の内側に環状凹部が形作られるときも、当該薄肉容器の座屈変形を防止しつつ環状凹部に溜まった内容液を吸引することができる。
【００１５】
また、柱状パイプ部は、薄肉容器の座屈変形を防止するため、強度が要求されるのに対し、屈曲パイプ部は、内容液を吸引するため、可撓性（柔軟性）が要求される。このため、柱状パイプ部と屈曲パイプ部とを別体に設ければ、柱状パイプ部と屈曲パイプ部とで互いに反する効果を得ようとする場合に有効である。
【００１６】
本発明に従えば、柱状パイプ部と屈曲パイプ部とを一体に設けることも可能である。この場合、組み付け作業が容易で、生産性及びコスト性に有効である。
【図面の簡単な説明】
【００１７】
【図１】本発明の一形態である、ディスペンサ付き合成樹脂製薄肉容器を一部断面で示す側面図である。
【図２】同形態を一部断面で示す正面図である。
【図３】(a),(b)はそれぞれ、同形態に採用される合成樹脂製薄肉容器を示す側面図及び、内容液を充填前の充填口付近を示す拡大斜視図である。
【発明を実施するための形態】
【００１８】
以下、図面を参照して、本発明の一形態である、ディスペンサ付き合成樹脂製薄肉容器を詳細に説明する。
【００１９】
１０は、ＰＥＴ等の合成樹脂製の薄肉容器である。薄肉容器１０は、その底壁１２に、環状の接地壁１２ｂを有する。接地壁１２ｂは、図１に示すように、その前後方向では補助接地壁１２ａを介して側壁１１に繋がることで、補助接地壁１２ａと共に接地される一方、図２に示すように、その左右方向では側壁１１に繋がることで、当該接地壁１２ｂのみが接地される。これにより、底壁１２の内側には、接地壁１２ｂに繋がって上側に向かうに従って縮径する縮径壁１２ｃと共に、環状の凹部（以下、「環状凹部」）ｎ1が形作られる。
【００２０】
また、縮径壁１２ｃには、第２折り返し部１２ｄを介して拡径壁１２ｅが一体に繋がり、その下端が封止された封止部１３で構成されている。これにより、底壁１２の内側には、環状凹部ｎ1に取り囲まれる中央凹部ｎ2が形作られる。
【００２１】
薄肉容器１０は、ブロー成形品であり、図３(b)に示すように、拡径壁１２ｅには、容器内に通じる開口部Ａ3が形作られた充填口１２ｆが設けられている。本形態では、内容液を充填するための容器１０を倒立させることで、開口部Ａ3から内容液を充填した後、充填口１２ｆを加熱等により封止（シール）する。これにより、拡径壁１２ｅには、封止部１３が形成される。
【００２２】
次いで、図３(a)の実線で示す状態から、封止部１３を側壁１１の内側に押し込むと、縮径壁１２ｃ及び拡径壁１２ｅは、接地壁（第１折り返し部）１２ｂ及び第２折り返し部１２ｄを基点に折り返されることで、同図の破線で示す如く、側壁１１の内側に反転した状態で収納される。これにより、図１，２に示すように、底壁１２の内側には、環状の接地壁１２ｂを形作る環状凹部ｎ1と、封止部１３を下端として環状凹部ｎ1に取り囲まれる中央凹部ｎ2とが形作られる。
【００２３】
なお、本形態に係る、薄肉容器１０は、後述のとおり、ディスペンサ２０が装着される口部１４を有し、口部１４には、切断可能な封止栓１５が一体に設けられている。これにより、薄肉容器１０は、ディスペンサを装着するまで、容器単体として持ち運びのできる携帯用の使い捨て容器として機能する。
【００２４】
２０は、薄肉容器１０の内容液を外界に注出するためのディスペンサである。ディスペンサ２０は、キャップ２１を有し、このキャップ２１を口部１４に螺着させることで口部１４に装着される。キャップ２１は、シリンダ２２を口部１４の内側を通して薄肉容器１０内に固定する。シリンダ２２の下端には、開口部Ａ1が形成されている。
【００２５】
２３は、シリンダ２２に内容液を吸引するための吸引パイプである。吸引パイプ２３は、シリンダ２２に装着される柱状パイプ部２３ａを備える。柱状パイプ部２３ａは、その上端２３ｅ1が開口部Ａ1に嵌合することで固定される。
【００２６】
また、柱状パイプ部２３ａには、中央凹部ｎ2の開口部Ａ2を通って垂下する柱状壁２３ｂが設けられている。柱状壁２３ｂの下端２３ｅ2は、図２に示すように、拡径壁１２ｅに接触することで、この拡径壁１２ｅで支持される。これにより、薄肉容器１０の口部１４は、キャップ２１を介して柱状パイプ部２３ａで支持される。
【００２７】
柱状パイプ部２３ａには更に、その下端に筒状部２３ｃが設けられている。この筒状部２３ｃの内側には、図１に示すように、連通孔Ａ3が形成されている。更に柱状壁２３ｂには、その一部を薄肉容器１０内に開放する切り欠き部Ｃが形成されている。
【００２８】
吸引パイプ２３は更に、切り欠き部Ｃを通って環状凹部ｎ1に向かって屈曲する屈曲パイプ部２３ｄを備える。屈曲パイプ部２３ｄは、その上端２３ｄ1が筒状部２３ｃに嵌合することで固定される。また、屈曲パイプ部２３ｄの下端２３ｅ3には、柱状パイプ部２３ａに通じる吸引口Ａ4が形成され、当該吸引口Ａ4が環状凹部ｎ1に配置される。これにより、吸引口Ａ4を通して環状凹部ｎ1に溜まった内容液を吸引することができる。
【００２９】
ディスペンサ２０は、ノズルヘッド２４の押し下げ及びその復帰の繰り返しにより、吸引口Ａ4を通して内容液をシリンダ２２内に吸引すると共に、ステム２５を通してノズルヘッド２４に圧送する。これにより、ノズル２６の注出口Ａ5から内容液を噴射させることができる。
【００３０】
本形態によれば、封止部１３を側壁１１の内側に押し込むことで、底壁１２の内側に、環状凹部ｎ1が形作られると共に、この環状凹部ｎ1に取り囲まれる中央凹部ｎ2が形作られるので、この中央凹部ｎ2で柱状パイプ部２３ａを支持することができる。これにより、柱状パイプ部２３ａでディスペンサ２０を介して薄肉容器１０の口部１４を支持することで、当該薄肉容器１０の座屈変形を防止することができる。
【００３１】
また、本形態によれば、柱状パイプ部２３ａに通じる吸引口Ａ4を有し当該吸引口Ａ4が環状凹部ｎ1に配置される屈曲パイプ部２３ｄを備えることで、中央凹部ｎ2を取り囲む環状凹部ｎ1に溜まった内容液を吸引することができる。
【００３２】
加えて、本形態の如く、屈曲パイプ部２３ｄの下端２３ｅ3を、柱状壁２３ｂの下端２３ｅ2よりも下方になるように構成することで、図１，２に示すように、吸引口Ａ4が中央凹部ｎ2の拡径壁１２ｅに接する柱状壁２３ｂの下端２３ｅ2よりも下方になるため、環状凹部ｎ1に溜まった内容液を効率的に吸引することができる。
【００３３】
従って、本形態によれば、薄肉容器１０の底壁１２が環状の接地壁１２ｂとしてなることで、底壁１２の内側に環状凹部ｎ1が形作られるときも、当該薄肉容器２０の座屈変形を防止しつつ環状凹部ｎ1に溜まった内容液を吸引することができる。
【００３４】
また、柱状パイプ部２３ａは、薄肉容器２０の座屈変形を防止するため、強度が要求されるのに対し、屈曲パイプ部２３ｄは、内容液を吸引するため、可撓性（柔軟性）が要求される。このため、本形態の如く、柱状パイプ部２３ａと屈曲パイプ部２３ｄとを別体に設ければ、柱状パイプ部２３ａと屈曲パイプ部２３ｄとで互いに反する効果を得ようとする場合に有効である。
【００３５】
なお、本発明に従えば、柱状パイプ部２３ａと屈曲パイプ部２３ｄとを一体に設けることも可能である。この場合、組み付け作業が容易で、生産性及びコスト性に有効である。
【００３６】
上述したところは、本発明の一形態を示したものに過ぎず、薄肉注出容器の用途に応じて様々に設計変更することができる。例えば、本形態では、シリンダ２２と吸引パイプ２３とを別体に構成しているが、本発明に従えば、シリンダ２２と吸引パイプ２３とは、一体に形成することができる。
【産業上の利用可能性】
【００３７】
本発明は、シャンプーやリンス、液体石鹸、化粧料等の内容液として充填する容器として適用させることができる。
【符号の説明】
【００３８】
１０    合成樹脂製の薄肉容器
１１    側壁
１２    底壁
１２ａ  補助接地壁
１２ｂ  環状の接地壁（第１の折り返し部）
１２ｃ  縮径部
１２ｄ  第２折り返し部
１２ｅ  拡径部
１２ｆ  充填口
１３    封止部
２０    ディスペンサ
２１    キャップ
２２    シリンダ
２３    吸引パイプ
２３ａ  柱状パイプ部
２３ｂ  柱状壁
２３ｃ  筒状部
２３ｄ  屈曲パイプ部
２３ｅ1 柱状パイプ部の上端
２３ｅ2 柱状パイプ部の下端
２３ｅ3 屈曲パイプ部の下端
２４    ノズルヘッド
２５    ステム
２６    ノズル
Ａ1     シリンダ開口部
Ａ2     中央凹部開口部
Ａ3     連通部
Ａ4     注出口
Ｃ      切り欠き部
ｎ1     環状凹部
ｎ2     中央凹部
【図１】
2011111181.tif 000003
【図２】
2011111181.tif 000004
【図３】
2011111181.tif 000005